(57)【要約】【課題】固定バンドを用いた蓄電装置の安定した固定、蓄電素子の配列方向への外装体の膨れ抑制、及び、外装体の内部で発生したガスのスムーズな排気を図る。【解決手段】本発明は、所定方向に１列に配列した複数の蓄電素子２と、前記複数の蓄電素子２を収容する外装体１０とを備えた蓄電装置１に関する。前記外装体１０の表面は、前記所定方向に対する直交方向に平行な一対の長辺を有する長方形状の輪郭を備え且つ前記複数の蓄電素子２に対向配置された基準面１６ａと、該基準面の一方の長辺側に隣接する長側面１８ａと、前記基準面１６ａおよび前記長側面１８ａの少なくとも一方を横切るように前記一方の長辺に対する直交方向に延びる帯状領域で構成され、前記蓄電装置１の固定に用いられる固定バンド６０が巻き付けられる被巻き付け部４８とを含む。外装体１０は、前記長辺に平行な方向において前記被巻き付け部４８からずれて配置された排気口２８を備える。【選択図】図１１
2019197662.tif 000002
【特許請求の範囲】
【請求項１】
所定方向に１列に配列した複数の蓄電素子と、
前記複数の蓄電素子を収容する外装体と、を備えた蓄電装置であって、
前記外装体の表面は、前記所定方向に対する直交方向に平行な一対の長辺を有する長方形状の輪郭を備え且つ前記複数の蓄電素子に対向配置された基準面と、該基準面の一方の長辺側に隣接する長側面と、前記基準面および前記長側面の少なくとも一方を横切るように前記一方の長辺に対する直交方向に延びる帯状領域で構成され、前記蓄電装置の固定に用いられる固定バンドが巻き付けられる被巻き付け部とを含み、
前記外装体は、前記長辺に平行な方向において前記被巻き付け部からずれて配置された排気口を備えている、蓄電装置。
【請求項２】
前記外装体における前記基準面と前記長側面との間のコーナー部に、一対の外部端子が設けられ、
前記長側面における前記一対の外部端子間に前記排気口が設けられている、請求項１に記載の蓄電装置。
【請求項３】
前記複数の蓄電素子のそれぞれは、前記基準面に対向する頂面を備え、
前記頂面は、前記所定方向に直交する一対の長辺を有する長方形状とされ、
前記頂面には、該頂面の長手方向において前記被巻き付け部と重複する領域にガス排出弁が設けられ、
前記外装体は、前記ガス排出弁から前記排気口へのガスの通路を形成する通路形成部材を備え、
前記通路は、前記ガス排出弁に面するように前記所定方向に延びる第１通路部と、前記第１通路部を前記排気口に繋ぐ第２通路部とを有する、請求項１又は請求項２に記載の蓄電装置。
【請求項４】
前記第２通路部は、前記頂面の長手方向に沿って前記第１通路部側から前記排気口側に向かって延びるように設けられ、
前記第１通路部の一端部は、屈曲部を介して前記第２通路部に接続されている、請求項３に記載の蓄電装置。
【請求項５】
前記外装体は、前記基準面側に開口した箱形のケース本体、該ケース本体に収容された前記複数の蓄電素子の前記頂面に対向する内蓋、及び、該内蓋の外側に配置された外蓋を備え、
前記排気口は、前記内蓋に設けられ、
前記通路は、前記ガス排出弁から前記排気口に至るまでの全長に亘って前記内蓋によって外側から塞がれている、請求項３又は請求項４に記載の蓄電装置。
【請求項６】
前記外装体は、前記基準面側に開口した箱形のケース本体、該ケース本体に収容された前記複数の蓄電素子の前記頂面に対向する内蓋、及び、該内蓋の外側に配置された外蓋を備え、
前記排気口は、前記外蓋に設けられ、
前記第１通路部は、前記複数の蓄電素子の前記頂面と前記内蓋との間に形成され、
前記第２通路部は、前記内蓋と前記外蓋との間に形成されている、請求項３に記載の蓄電装置。
【発明の詳細な説明】
【技術分野】
【０００１】
本発明は、蓄電素子と外装体を備えた蓄電装置に関する。
【背景技術】
【０００２】
エンジンを駆動源とする二輪車および自動車のような車両には、主としてエンジン始動に用いられる比較的低電圧の蓄電装置が搭載されることがある。この種の蓄電装置としては、主として鉛蓄電池が用いられるが、近年、鉛蓄電池に代えて、リチウムイオン電池のような、鉛蓄電池以外の蓄電素子が用いられることもある。
【０００３】
上記のエンジン始動用の蓄電装置の車体への固定には、金属製またはゴム製の固定バンドが用いられることがある。固定バンドは、蓄電装置の外装体に巻き掛けられた状態で、両端部が車体に固定される。なお、特許文献１には、この種の固定バンドを用いて電動二輪車の車体に蓄電装置が固定される構成が開示されている。
【０００４】
蓄電素子としては、金属製の容器を備えたもの、及び、ラミネート加工された袋状の容器（パウチ容器）を備えたものが知られている。金属製の容器を備えた蓄電素子には、容器の内部で発生したガスを排出するためのガス排出弁が設けられることがある。また、パウチ容器を備えた蓄電素子では、パウチ容器の内部で発生したガスが容器を破って外部に排出されることがある。さらに、蓄電素子を収容する外装体には、蓄電素子の容器の外側に排出されたガスを外装体の外部へ排出するための排気口が設けられることがある。例えば、特許文献１に開示された蓄電装置では、外装体の上面において、固定バンドから車体後方側にずれた位置に排気口が設けられている。
【先行技術文献】
【特許文献】
【０００５】
【特許文献１】特開２０１０−２３２０８４号公報
【発明の概要】
【発明が解決しようとする課題】
【０００６】
ところで、上記のエンジン始動用の蓄電装置では、蓄電素子ユニットとして所望の蓄電能力を達成するために、所定の方向に配列した複数の蓄電素子が外装体の内部に収容されることがある。
【０００７】
しかしながら、この種の蓄電装置が固定バンドを用いて設置対象に固定される場合において、外装体のどの部分に固定バンドを巻き付けるか、複数の蓄電素子をどの方向に沿って配列するか、及び、外装体のどの位置に排気口を設けるかについての具体的な検討は十分に進んでいない。
【０００８】
本発明は、複数の蓄電素子を備えた蓄電装置において、固定バンドを用いた蓄電装置の安定した固定、蓄電素子の配列方向への外装体の膨れ抑制、及び、外装体の内部で発生したガスのスムーズな排気を図ることを課題とする。
【課題を解決するための手段】
【０００９】
本発明の一態様は、所定方向に１列に配列した複数の蓄電素子と、前記複数の蓄電素子を収容する外装体と、を備えた蓄電装置であって、前記外装体の表面は、前記所定方向に対する直交方向に平行な一対の長辺を有する長方形状の輪郭を備え且つ前記複数の蓄電素子に対向配置された基準面と、該基準面の一方の長辺側に隣接する長側面と、前記基準面および前記長側面の少なくとも一方を横切るように前記一方の長辺に対する直交方向に延びる帯状領域で構成され、前記蓄電装置の固定に用いられる固定バンドが巻き付けられる被巻き付け部とを含み、前記外装体は、前記長辺に平行な方向において前記被巻き付け部からずれて配置された排気口を備えている、蓄電装置を提供する。
【００１０】
上記の蓄電装置によれば、外装体に対して、その基準面の長辺に対して直交するように固定バンドが巻き付けられるため、基準面の短辺に対して直交するように固定バンドが巻き付けられる場合に比べて、蓄電装置の固定を安定化させやすい。
また、外装体の長側面の外側から複数の蓄電素子に対して固定バンドが押し当てられる場合には、蓄電素子の配列方向への膨張によって外装体が配列方向に膨れることを抑制しやすくなる。
さらに、外装体において排気口が被巻き付け部からずれて配置されることにより、排気口が固定バンドによって塞がれることを抑制できる。そのため、外装体の内部で発生したガスを排気口からスムーズに排出することができる。
【００１１】
上記の蓄電装置において、前記外装体における前記基準面と前記長側面との間のコーナー部に、一対の外部端子が設けられ、前記長側面における前記一対の外部端子間に前記排気口が設けられてもよい。この場合、外装体の基準面が上方に向けられた搭載姿勢、及び、外装体の長側面が上方に向けられた搭載姿勢のいずれにおいても、外装体の上端側に排気口を配置することができる。そのため、外装体の排気口からのガスの排出が周辺部材によって遮られることを抑制しやすい。
【００１２】
ところで、長方形状の基準面を有する外装体に、複数の扁平な角型の蓄電素子が基準面の短辺方向に沿って並べて収容されることがある。また、外装体の基準面に対向する蓄電素子の頂面にガス排出弁が設けられる場合、複数のガス排出弁が基準面の短辺方向に並ぶように配置されることになる。この種の蓄電装置では、ガス排出弁から排出されたガスを外装体の排気口へ導くための通路を、全てのガス排出弁に面するように基準面の短辺方向に延ばして形成することが考えられる。この場合、当該通路の延長線上に外装体の排気口を設けることで、蓄電素子のガス排出弁から外装体の排気口までのスムーズなガスの流れを実現できる。
【００１３】
一方で、この種の蓄電装置が固定バンドを用いて固定される場合、基準面の長辺方向の中央部において固定バンドが外装体に巻き付けられることで、安定した固定が可能になる。ところが、上記のように、ガス排出弁の位置に合わせて長辺方向の中央部に外装体の排気口が設けられると、排気口が固定バンドで塞がれることで、排気口からのガスの排出の妨げになる可能性がある。
【００１４】
また、リチウムイオン電池のような蓄電素子は、劣化によって膨張しやすくなることがある。角型の蓄電素子は、特に厚さ方向に膨張しやすい。そのため、角型の蓄電素子が複数重ねて配置された蓄電装置では、蓄電素子の配列方向に外装体が膨らむ可能性がある。このような外装体の膨れ抑制には、配列方向の外側から上記の固定バンドを押し当てることが有効である。
【００１５】
外装体における排気口の配置、固定バンドの巻き付け方向、および蓄電素子の配列方向のような種々の構成の決定に際しては、上述したような様々な事情を総合的に考慮することが求められる。
【００１６】
そこで、上記の蓄電装置において、前記複数の蓄電素子のそれぞれは、前記基準面に対向する頂面を備え、前記頂面は、前記所定方向に直交する一対の長辺を有する長方形状とされ、前記頂面には、該頂面の長手方向において前記被巻き付け部と重複する領域にガス排出弁が設けられる場合、前記外装体は、前記ガス排出弁から前記排気口へのガスの通路を形成する通路形成部材を備え、前記通路は、前記ガス排出弁に面するように前記所定方向に延びる第１通路部と、前記第１通路部を前記排気口に繋ぐ第２通路部とを有することが好ましい。
【００１７】
これにより、各蓄電素子のガス排出弁から排出されたガスは、外装体の通路形成部材によって形成された第１通路部および第２通路部を経由して、固定バンドからオフセットされた排気口へスムーズに流れやすくなる。そのため、外装体の外部へのスムーズな排気を実現できる。また、複数の角型の蓄電素子に対して、配列方向の少なくとも一方側から固定バンドが押し付けられることで、外装体の膨れを抑制できるとともに、長辺方向の中央部に固定バンドが巻き付けられることで、蓄電装置の安定した固定が可能になる。
【００１８】
上記の蓄電装置において、前記第２通路部は、前記頂面の長手方向に沿って前記第１通路部側から前記排気口側に向かって延びるように設けられ、前記第１通路部の一端部は、屈曲部を介して前記第２通路部に接続されてもよい。この場合、蓄電素子のガス排出弁から排出されて第１通路部を流れるガスを、屈曲部を介して第２通路部へスムーズに導くことができる。したがって、ガス排出弁から第１通路部、屈曲部、及び第２通路部を経由して外装体の排気口に至るまで、スムーズなガスの流れを実現できる。
【００１９】
上記の蓄電装置において、前記外装体は、前記基準面側に開口した箱形のケース本体、該ケース本体に収容された前記複数の蓄電素子の前記頂面に対向する内蓋、及び、該内蓋の外側に配置された外蓋を備える場合、前記排気口は、前記内蓋に設けられ、前記通路は、前記ガス排出弁から前記排気口に至るまでの全長に亘って前記内蓋によって外側から塞がれてもよい。この場合、外装体の内蓋を利用して、蓄電素子のガス排出弁から排出されたガスを排気口までスムーズに導くことができる。また、内蓋の外側へのガスの流れが規制されるため、内蓋と外蓋との間に配置された基板のような各種部品を、排出ガスから効果的に保護できる。
【００２０】
上記の蓄電装置において、前記外装体は、前記基準面側に開口した箱形のケース本体、該ケース本体に収容された前記複数の蓄電素子の前記頂面に対向する内蓋、及び、該内蓋の外側に配置された外蓋を備える場合、前記排気口は、前記外蓋に設けられ、前記第１通路部は、前記複数の蓄電素子の前記頂面と前記内蓋との間に形成され、前記第２通路部は、前記内蓋と前記外蓋との間に形成されてもよい。この場合、外装体の内蓋と外蓋を利用して、蓄電素子のガス排出弁から排出されたガスを、外蓋に設けられた排気口までスムーズに導くことができる。
【発明の効果】
【００２１】
本発明によれば、複数の蓄電素子を備えた蓄電装置において、固定バンドを用いた蓄電装置の安定した固定、蓄電素子の配列方向への外装体の膨れ抑制、及び、外装体の内部で発生したガスのスムーズな排気を図ることができる。
【図面の簡単な説明】
【００２２】
【図１】本発明の第１実施形態に係る蓄電装置としての組電池を示す斜視図。
【図２】図１に示す組電池の分解斜視図。
【図３】蓄電素子としての単電池を示す斜視図。
【図４】ケース本体に内蓋が組み付けられた状態の組電池を示す分解斜視図。
【図５】外装体の内蓋を内側から見た斜視図。
【図６】内蓋の上側から見た組電池の平面図。
【図７】ガスの排気通路及びその周辺部を示す図６のＡ−Ａ線断面図。
【図８】ガスの排気通路及びその周辺部を示す図６のＢ−Ｂ線断面図。
【図９】ガスの排気通路及びその周辺部を示す図６のＣ−Ｃ線断面図。
【図１０】ガスの排気通路及びその周辺部を示す図６のＤ−Ｄ線断面図。
【図１１】組電池の搭載態様の一例を示す側面図および平面図。
【図１２】組電池の搭載態様の別の例を示す側面図および平面図。
【図１３】本発明の第２実施形態に係る蓄電装置としての組電池を示す斜視図。
【図１４】図１３に示す組電池の分解斜視図。
【図１５】蓄電素子の外側に内蓋が装着された状態の組電池を示す分解斜視図。
【図１６】外蓋からカバーが取り外された状態の組電池を示す分解斜視図。
【図１７】図１３に示す組電池の平面図。
【図１８】内蓋の上側から見た組電池の平面図。
【図１９】内蓋を内側から見た斜視図。
【図２０】ガスの排気通路及びその周辺部を示す図１７のＥ−Ｅ線で破断した一部破断斜視図。
【図２１】ガスの排気通路及びその周辺部を示す図１７のＦ−Ｆ線で破断した一部破断斜視図。
【図２２】ガスの排気通路及びその周辺部を示す図１７のＧ−Ｇ線で破断した一部破断斜視図。
【発明を実施するための形態】
【００２３】
以下、添付図面を参照して、本発明に係る蓄電装置を実施形態毎に説明する。なお、以下の説明では、必要に応じて特定の方向や位置を示す用語（例えば、「上」、「下」、「横」、「前」、「後」、「側」、「端」を含む用語）を用いるが、それらの用語の使用は図面を参照した発明の理解を容易にするためであって、それらの用語の意味によって本発明の技術的範囲が限定されるものではない。つまり、それらの用語は、添付図面に示される蓄電装置の姿勢における方向を示すものであり、必ずしも実際の使用状態における方向と一致するものでない。また、以下の説明は、本質的に例示に過ぎず、本発明、その適用物、あるいは、その用途を制限することを意図するものではない。
【００２４】
［第１実施形態］
図１の斜視図は、第１実施形態に係る蓄電装置としての組電池（電池モジュール）１を示している。組電池１は、エンジンを駆動源とする二輪車に搭載され、主としてエンジンの始動に用いられる比較的低電圧の補機バッテリである。ただし、組電池１の用途は限定されるものでなく、例えば自動車など、二輪車以外の移動体に搭載されるものであってもよい。
【００２５】
図２の分解斜視図に示すように、組電池１は、複数の蓄電素子としての単電池（電池セル）２と、複数の単電池２を収容する外装体１０とを備える。
【００２６】
単電池２は、例えば、リチウムイオン二次電池のような非水電解質二次電池である。単電池２は、いわゆる角形電池である。第１実施形態に係る組電池１では、４個の単電池２が、相互に積層された状態で外装体１０に収容されている。
【００２７】
ただし、組電池１を構成する単電池２の個数は、２個以上であれば、特に限定されるものでない。なお、隣接する単電池２間には、樹脂のような絶縁性材料からなるスペーサ（図示せず）が介在されてもよい。
【００２８】
図３の斜視図に示すように、各単電池２は、電極体（図示せず）を収容するケース３を有する。ケース３の形状は、例えば、中空の略直方体である。ケース３は、ケース本体４と蓋体５を有する。
【００２９】
ケース本体４は、上面が開口した扁平な箱形の部材である。ケース本体４は、所定の横方向Ｘに対する垂直面（ＹＺ平面）に沿って配置された一対の短側面４ａ、横方向Ｘに直交する所定の前後方向Ｙに対する垂直面（ＸＺ平面）に沿って配置された一対の長側面４ｂ、及び、横方向Ｘと前後方向Ｙとに直交する所定の上下方向Ｚに対する垂直面（ＸＹ平面）に沿って配置された底面４ｃを有する。
【００３０】
ケース本体４の材料には、例えばアルミニウム又はアルミニウム合金等の金属が用いられる。なお、ケース本体４の表面は、樹脂のような絶縁性材料からなるフィルム（図示せず）で被覆されてもよい。
【００３１】
蓋体５は、ケース本体４の上面開口部を塞いで、ケース３の頂面を構成している。蓋体５は、例えば金属からなる板状部材である。蓋体５は、上下方向Ｚに対する垂直面（ＸＹ平面）に沿って配置されている。蓋体５の形状は、例えば、横方向Ｘに延びる一対の長辺と前後方向Ｙに延びる一対の短辺とを有する長方形状である。蓋体５は、ケース本体４の開口縁部に例えば溶接によって接合されている。
【００３２】
蓋体５の表面には、第１端子としての正極端子６と、第２端子としての負極端子７が固定されている。正極端子６は、蓋体５における横方向Ｘの中央よりも一方側部分に設けられ、負極端子７は、蓋体５における横方向Ｘの中央よりも他方側部分に設けられている。
【００３３】
各端子６，７は、蓋体５の上面にガスケット８を介して例えばかしめによって固定された板状部材である。端子６，７の材料には、例えば、アルミニウム、銅、ニッケル等の金属が用いられる。
【００３４】
図２に示すように、複数の単電池２は、ケース本体４の長側面４ｂ同士が対向するように前後方向Ｙに１列に配列されている。組電池１の横方向Ｘ一方側及び他方側のそれぞれにおいて、正極端子６と負極端子７が前後方向Ｙに交互に並べて配置されている。
【００３５】
各単電池２の端子６，７と、別の単電池２の端子６，７との間の電気的接続は、バスバー（図示せず）を介してなされている。第１実施形態では、全ての単電池２が直列に接続されている。
【００３６】
組電池１を構成する全ての単電池２のうち前後方向Ｙの最も前側（図２の手前側）に位置する単電池２の正極端子６は、組電池１の外装体１０に設けられた正極外部端子２１に対して、例えばバスバー（図示せず）を介して電気的に接続されている。
【００３７】
組電池１を構成する全ての単電池２のうち前後方向Ｙの最も後側（図２の奥側）に位置する単電池２の負極端子７は、組電池１の外装体１０に設けられた負極外部端子２２に対して、例えばバスバー（図示せず）を介して電気的に接続されている。
【００３８】
単電池２の蓋体５の長手方向（横方向Ｘ）中央部にはガス排出弁９が設けられている。これにより、ケース３内で発生したガスが、ガス排出弁９を経由してケース３の外側へ排出され得る。複数の単電池２のガス排出弁９は、前後方向Ｙに沿って直線状に配列される。
【００３９】
外装体１０は、上面が開口した箱形のケース本体１２と、該ケース本体１２の上面開口を塞ぐ蓋体１４とを備えている。蓋体１４は、複数の単電池２の頂面（蓋体）５に対向する内蓋１５と、内蓋１５の外側に重ねられる外蓋１６とを有する。ケース本体１２、内蓋１５、及び外蓋１６は、樹脂製の部材である。ただし、ケース本体１２、内蓋１５、及び外蓋１６の材料は、樹脂以外の絶縁性材料であってもよい。
【００４０】
ケース本体１２は、横方向Ｘに対する垂直面（ＹＺ平面）に沿って配置された一対の短側面部１２ａ、前後方向Ｙに対する垂直面（ＸＺ平面）に沿って配置された一対の長側面部１２ｂ、及び、上下方向Ｚに対する垂直面（ＸＹ平面）に沿って配置された底面部１２ｃを有する。
【００４１】
内蓋１５は、ケース本体１２の上面開口の形状に対応した長方形状の輪郭を有する板状部材である。内蓋１５は、単電池２の頂面５の上側に対向するように、上下方向Ｚに対する垂直面（ＸＹ平面）に沿って配置される。
【００４２】
内蓋１５の周縁部には、厚肉のフレーム部１５ａ，１５ｂ，１５ｃ，１５ｄが一体に設けられており、これにより、内蓋１５の剛性が高められている。内蓋１５の周縁部（フレーム部１５ａ，１５ｂ，１５ｃ，１５ｄ）は、ケース本体１２の上面開口の周縁部に係合され、例えば接着によってケース本体１２に接合されている。
【００４３】
内蓋１５には、単電池２の端子６，７の位置に合わせて複数の開口部１５ｅが設けられている。これにより、図４に示すように、ケース本体１２に収容された複数の単電池２の上側に内蓋１５が配置され、且つ、内蓋１５がケース本体１２に組み付けられた状態において、内蓋１５の各開口部１５ｅに単電池２の端子６，７が臨むように配置される。
【００４４】
内蓋１５には、開口部１５ｅの周縁部から立ち上がる複数の枠状の壁部１５ｆが一体に設けられている。壁部１５ｆは、単電池２の端子６，７に接続されるバスバー（図示せず）の周縁部に沿って配置され、これにより、バスバーと周辺部品との間の電気的絶縁が図られる。バスバーは、例えば、壁部１５ｆの一部に設けられた爪状の係止片（図示せず）などを用いた固定によって、内蓋１５に支持される。これにより、内蓋１５は、単電池２の端子６，７に接続されるバスバーを支持するバスバーフレームとして機能する。
【００４５】
内蓋１５の外側の面には、外蓋１６に係合される突条部１５ｇが突設されている。突条部１５ｇは、内蓋１５の周縁部に概ね沿うように設けられている。
【００４６】
外蓋１６は、内蓋１５の外側に対向する頂面部１６ａと、該頂面部１６ａの周縁部から上下方向Ｚの下側（底面部１２ｃ側）に延びる周壁部１６ｂとを有する。外蓋１６は、周壁部１６ｂの下端部において内蓋１５の突条部１５ｇに係合され、例えば接着によって内蓋１５に接合されている。これにより、外蓋１６は、内蓋１５を介してケース本体１２に取り付けられている。
【００４７】
ただし、ケース本体１２に対して内蓋１５及び外蓋１６を取り付けるための構成は特に限定されるものでない。例えば、ケース本体１２に対して外蓋１６が直接接合されたり、ケース本体１２、内蓋１５、及び外蓋１６間の接合が、ねじを用いた締結、又は溶着によって行われたりしてもよい。
【００４８】
図１に示す組立完了状態において、内蓋１５の周縁部は、ケース本体１２の上縁部と外蓋１６の周縁部との間に挟み込まれている。内蓋１５の上面部は、外蓋１６によって覆われており、内蓋１５の外周部は、少なくとも部分的に、外装体１０の表面に露出している。外蓋１６の周壁部１６ｂにおける後述の切欠１６ｃ以外の部分と、内蓋１５の外周部における露出部とは、ケース本体１２の短側面部１２ａ及び長側面部１２ｂと協働して、外装体１０の短側面１７ａ，１７ｂおよび長側面１８ａ，１８ｂを構成している。
【００４９】
外蓋１６の頂面部１６ａは、内蓋１５を介して複数の単電池２に対向配置された基準面を構成している。頂面部１６ａは、上下方向Ｚにおいて内蓋１５の外側に間隔をあけて対向配置されている。頂面部１６ａは、横方向Ｘに延びる一対の長辺と前後方向Ｙに延びる一対の短辺とを有する概ね長方形状とされている。周壁部１６ｂは、頂面部１６ａの輪郭形状に合わせた概ね長方形の枠状部である。ただし、頂面部１６ａ及び周壁部１６ｂにおける一方の長辺の両端に位置する各コーナー部には切欠１６ｃが設けられている。
【００５０】
外蓋１６の一方の切欠１６ｃには、組電池１の正極の外部端子２１が配置され、他方の切欠１６ｃには、組電池１の負極の外部端子２２が配置されている。各外部端子２１，２２は、外装体１０の外側に露出するように蓋体１４に取り付けられている。このように、外部端子２１，２２は、外装体１０の頂面部１６ａと一方（前後方向Ｙの前側）の長側面１８ａとの間のコーナー部に設けられている。
【００５１】
各外部端子２１，２２は、例えば、屈曲部を有する帯状の金属板で構成されている。外部端子２１，２２は、外蓋１６の周壁部１６ｂを貫通して設けられている。外部端子２１，２２は、その一端側が外蓋１６の外側に露出し、他端側が外蓋１６の内側に配置されている。外部端子２１，２２は、例えばインサート成形によって外蓋１６と一体に設けられてもよい。
【００５２】
内蓋１５には一対の被固定部１５ｈが設けられており、各被固定部１５ｈに、外部端子２１，２２の一端部が例えばねじを用いて固定されている。被固定部１５ｈは、内蓋１５の外周面に設けられた凹部である。凹状の被固定部１５ｈには、外部端子２１，２２の一端部と、その外側に重ねられる板状のカバー２６とが収容される。カバー２６は、例えば接着によって内蓋１５に接合され、外装体１０の長側面１８ａの一部を構成する。
【００５３】
外部端子２１，２２の他端部は、外蓋１６の内側においてバスバー（図示せず）に接続され、該バスバーを介して単電池２の電気的に接続されている。
【００５４】
外装体１０の外側に配置された外部端子２１，２２の露出部は、外装体１０の頂面部１６ａに沿うように配置された頂面部２３と、屈曲部を介して頂面部２３に連なり外装体１０の長側面１８ａに沿うように配置された側面部２４とを有する。外部端子２１，２２は、頂面部２３又は側面部２４に取り付けられる接続部材（図示せず）を介して、車体側の電気系統に接続される。
【００５５】
図４の分解斜視図に示すように、内蓋１５と外蓋１６との間には、制御基板２０を含む電気部品が収容されている。制御基板２０は、内蓋１５と外蓋１６の頂面部１６ａとの間に形成された空間に配置されている。制御基板２０は、例えばねじを用いて内蓋１５の外側の面に固定される。なお、内蓋１５には、制御基板２０を固定するためのねじがねじ込まれる複数の被固定部１５ｉが設けられている。
【００５６】
図４〜図６に示すように、組電池１の外装体１０は、単電池２のガス排出弁９から排出されたガスを外装体１０の外側へ排出するための排気口２８と、外装体１０の内側においてガス排出弁９から排気口２８へガスを導くためのダクト部３０とを備えている。第１実施形態において、排気口２８とダクト部３０は、外装体１０の内蓋１５に設けられている。
【００５７】
図４に示すように、排気口２８は、内蓋１５の前後方向Ｙの前側のフレーム部１５ａから上下方向Ｚの上側に突出した突出部２９に設けられている。なお、外蓋１６の周壁部１６ｂの下縁部には、内蓋１５の突出部２９との干渉を回避するための切欠１６ｄが設けられている。
【００５８】
突出部２９は、前後方向Ｙに対する垂直面（ＸＺ平面）に沿って配置された板状部である。突出部２９は、外装体１０の表面に露出するように配置され、外装体１０の長側面１８ａの一部を構成している（図１参照）。突出部２９及び排気口２８は、上下方向Ｚにおいて外部端子２１，２２の側面部２４とオーバラップして配置されている。すなわち、排気口２８は、外装体１０の長側面１８ａにおいて、一対の外部端子２１，２２間に配置されている。
【００５９】
突出部２９は、横方向Ｘに長い長方形状の輪郭を有する。排気口２８は、例えば、横方向Ｘに延びるスロット状に形成されている。ただし、排気口２８の形状は特に限定されるものでない。突出部２９及び排気口２８は、横方向Ｘにおいて内蓋１５の中央からオフセットして配置されている。
【００６０】
ダクト部３０は、内蓋１５において、外装体１０の内側（単電池２側）に開放した溝状に形成されている。これにより、複数の単電池２の頂面５とダクト部３０との間に、単電池２のガス排出弁９から外装体１０の排気口２８へのガスの排気通路４０が形成されている。すなわち、内蓋１５は、ガスの排気通路４０を形成する通路形成部材として機能している。
【００６１】
ダクト部３０は、前後方向Ｙに延びる第１ダクト部３１と、第１ダクト部３１から横方向Ｘに延びる第２ダクト部３２とを備えている。
【００６２】
第１ダクト部３１は、内蓋１５の横方向Ｘ中央部において、前後方向Ｙに沿って直線状に延びるように設けられている。図６に示すように、上下方向Ｚから見て、第１ダクト部３１は、全ての単電池２のガス排出弁９とオーバラップして配置されている。上下方向Ｚから見て、各ガス排出弁９は、その全体が第１ダクト部３１とオーバラップしている。このように、第１ダクト部３１は、全ての単電池２のガス排出弁９に対向するように配置されている。
【００６３】
図５〜図７に示すように、第１ダクト部３１は、上下方向Ｚに対する垂直面（ＸＹ平面）に沿って配置された天井面部３１ａと、該天井面部３１ａの横方向Ｘ両端部から横方向Ｘの外側に向かって斜め下側に延びる一対の傾斜面部３１ｂ，３１ｃとを備えている。
【００６４】
内蓋１５には、第１ダクト部３１の横方向Ｘ両側に隣接して配置された一対の床面部３１ｄが設けられている。各床面部３１ｄは、傾斜面部３１ｂ，３１ｃの下端から横方向Ｘの外側に延びるように設けられている。上下方向Ｚから見て、床面部３１ｄは、第１ダクト部３１に沿って前後方向Ｙに延びるように配置されている。一方の床面部３１ｄは、排気口２８と横方向Ｘにオーバラップして配置されている。各床面部３１ｄの横方向Ｘ外側端部は、上述の開口部１５ｅの縁部の一部を構成している。各床面部３１ｄの下面は、単電池２の頂面５に当接するように配置されている（図７参照）。
【００６５】
内蓋１５の各床面部３１ｄの上面には、横方向Ｘに延びる複数のリブ３１ｅが、前後方向Ｙに間隔を空けて設けられている。リブ３１ｅの横方向Ｘ内側端部は、第１ダクト部３１の傾斜面部３１ｂ，３１ｃに接続されている。これにより、第１ダクト部３１の剛性が高められている。
【００６６】
図６、図８、及び図９に示すように、第２ダクト部３２は、第１ダクト部３１の前後方向Ｙ前側端部から横方向Ｘ外側に延びるように設けられている。第２ダクト部３２の横方向Ｘ内側端部は、第１ダクト部３１の前後方向Ｙ前側端部に接続されている。これにより、第１ダクト部３１の内部空間と第２ダクト部３２の内部空間とが互いに連通している。
【００６７】
図６及び図１０に示すように、第２ダクト部３２の前後方向Ｙ後側には、一方の床面部３１ｄが隣接して配置され、第２ダクト部３２の前後方向Ｙ前側には、フレーム部１５ａ及び突出部２９が隣接して配置されている。第２ダクト部３２の内部空間は、排気口２８に面しており、該排気口２８を介して外装体１０の外側に連通している。
【００６８】
図６〜図１０に示すように、排気通路４０は、単電池２の頂面５と第１ダクト部３１との間に形成された第１通路部４１、単電池２の頂面５と第２ダクト部３２との間に形成された第２通路部４２、及び、第２通路部４２と排気口２８とを繋ぐ第３通路部４３を有する。
【００６９】
第１通路部４１は、第１ダクト部３１の一端から他端にかけて前後方向Ｙに沿って直線状に延びるように形成されている。第１通路部４１は、全ての単電池２のガス排出弁９に面している。
【００７０】
第２通路部４２は、横方向Ｘに沿って第１通路部４１側から排気口２８側に向かって直線状に延びるように形成されている。第２通路部４２は、屈曲部４４（図６参照）を介して、第１通路部４１の前後方向Ｙ前側端部に接続されている。屈曲部４４は、上下方向Ｚから見て直角に形成されている（図６参照）。
【００７１】
第２通路部４２の下面は、第１通路部４１の下面と比べて上下方向Ｚの同じ高さ位置に配置され、第２通路部４２の上面は、第１通路部４１の上面よりも上下方向Ｚの上側に配置されている（図８参照）。すなわち、第２通路部４２は、第１通路部４１に比べて上下方向Ｚに広く形成されている。
【００７２】
第２通路部４２は、前後方向Ｙにおいて排気口２８の後側にオフセットされ、横方向Ｘにおいて排気口２８とオーバラップして配置されている。第２通路部４２は、排気口２８とオーバラップする横方向Ｘ領域において第３通路部４３（図１０参照）に接続されている。
【００７３】
図１０に示すように、第３通路部４３は、第２ダクト部３２における前後方向Ｙ前側の側壁部を貫通して、前後方向Ｙに延びるように設けられている。第３通路部４３は、第２通路部４２と排気口２８との間を接続している。
【００７４】
第３通路部４３の上面は、上下方向Ｚにおいて第２通路部４２の上面および排気口２８の上縁部と同じ高さ位置に配置され、第２通路部４２の上面と排気口２８の上縁部とにそれぞれ連なっている。第３通路部４３の下面は、上下方向Ｚにおいて第２通路部４２の下面よりも上側かつ排気口２８の下縁部と同じ高さ位置に配置され、排気口２８の下縁部に連なっている。第３通路部４３の下面と第２通路部４２の下面との間には段状部４５が形成されている。
【００７５】
第１通路部４１は、全ての単電池２の頂面５と内蓋１５の第１ダクト部３１との間に形成された閉断面部である。したがって、単電池２のガス排出弁９から第１通路部４１に排出されたガスは、第１通路部４１の外側への漏出が抑制されつつ、第１通路部４１に沿って排気口２８側へ流れやすくなっている。
【００７６】
第１通路部４１を流れるガスは、屈曲部４４（図６参照）を介して第２通路部４２へスムーズに導かれ得る。第２通路部４２は、前後方向Ｙの最も前側の単電池２の頂面５と内蓋１５の第２ダクト部３２との間に形成された閉断面部である。したがって、第１通路部４１から第２通路部４２へ導入されたガスは、第２通路部４２の外側への漏出が抑制されつつ、第２通路部４２に沿って排気口２８側へ流れやすくなっている。
【００７７】
第２通路部４２を流れるガスは、段状部４５（図１０参照）を乗り越えて第３通路部４３へスムーズに導かれ得る。第３通路部４３は、内蓋１５の第２ダクト部３２の側壁部に形成された閉断面部である。したがって、第２通路部４２から第３通路部４３へ導入されたガスは、第３通路部４３の外側への漏出が抑制されつつ、第３通路部４３を経由して排気口２８へスムーズに導かれ得る。
【００７８】
以上のように、排気通路４０は、単電池２のガス排出弁９から外装体１０の排気口２８に至るまでの全長に亘って、内蓋１５によって外側から塞がれた閉断面部で構成されている。このようにして内蓋１５を利用して形成された排気通路４０を経由させることで、単電池２のガス排出弁９から排気口２８に至るスムーズなガスの流れを実現できる。また、内蓋１５の外側へのガスの流れが規制されるため、内蓋１５と外蓋１６との間に配置された制御基板２０のような電気部品を排出ガスから効果的に保護できる。
【００７９】
図１１（ａ）は、二輪車への組電池１の搭載態様の一例を示す側面図であり、図１１（ｂ）は、同搭載例が適用された組電池１を示す平面図である。
【００８０】
図１１（ａ）に示す搭載例において、組電池１は、外装体１０の頂面部１６ａ及び外部端子２１，２２の頂面部２３が上下方向Ｚの上側を指向する姿勢で、二輪車の車体に固定されたケース５０に収容される。ケース５０は、上下方向Ｚに対する垂直面（ＸＹ平面）に沿って配置された長方形状の底面部５１と、該底面部５１の周縁部から上下方向Ｚの上側に延びる周壁部５２とを備えている。
【００８１】
組電池１は、ケース５０の底面部５１上に載置される。すなわち、ケース５０の底面部５１は、組電池１の底面部１２ｃに対向配置される。ケース５０の周壁部５２は、組電池１の後側の長側面１８ｂに対向する後面部５３と、組電池１の前側の長側面１８ａに対向する前面部５４とを有する。
【００８２】
ケース５０の後面部５３は、上下方向Ｚにおいて、組電池１の高さよりも長く形成されており、後面部５３の上端部は、組電池１の頂面部１６ａよりも上下方向Ｚの上側に配置されている。ケース５０の前面部５４は、上下方向Ｚにおいて、組電池１のケース本体１２の高さよりも短く形成されており、前面部５４の上端は、組電池１のケース本体１２の上端よりも上下方向Ｚの下側に配置されている。
【００８３】
ケース５０は、前面部５４の上端から前後方向Ｙの前側に延びる支持面部５５と、支持面部５５の上面に突設された留め具５６とを更に備えている。留め具５６は、例えば、前後方向Ｙから見て逆Ｕ字状の金具であり、留め具５６の両端部は支持面部５５に固定されている。留め具５６は、ケース５０の横方向Ｘ中央部に設けられている。
【００８４】
ケース５０に収容された組電池１は、固定バンド６０を用いてケース５０に固定される。固定バンド６０は、例えば、帯状の金属板からなる。ただし、固定バンド６０の材質は特に限定されるものでない。固定バンド６０の短手方向の幅は、全長に亘って一定となっている。
【００８５】
固定バンド６０の一端部は、ケース５０の後面部５３の上端部に固定されており、固定バンド６０の他端は自由端となっている。固定バンド６０の自由端側の端部には、上記の留め具５６に係合可能なフック６２が設けられている。
【００８６】
固定バンド６０は、ケース５０の横方向Ｘ中央部において、前後方向Ｙに延びるように設けられている。固定バンド６０の自由端側部分は、斜め下側に屈曲されている。固定バンド６０は、ケース５０に収容された組電池１の頂面部１６ａと前側の長側面１８ａとに対向するように組電池１に巻き付けられ、固定バンド６０の先端部に設けられたフック６２が留め具５６に係合される。これにより、組電池１は、横方向Ｘ中央部において、固定バンド６０によって頂面部１６ａが上下方向Ｚの上側から押さえ付けられることで、ケース５０に固定される。
【００８７】
図１１（ｂ）に示すように、組電池１の頂面部１６ａにおいて固定バンド６０が巻き付けられる被巻き付け部４８は、頂面部１６ａを横切るように前後方向Ｙに延びる帯状領域（図１１（ｂ）において細点が付された領域）である。被巻き付け部４８は、組電池１の外装体１０の横方向Ｘ中央部に配置されている。すなわち、被巻き付け部４８は、横方向Ｘにおいて単電池２のガス排出弁９と重複する領域に配置されている。
【００８８】
これに対して、外装体１０の排気口２８は、外装体１０の横方向Ｘ中央部からオフセットして配置されている。これにより、排気口２８の一部は、被巻き付け部４８から横方向Ｘにずれて配置されている。図１１（ｂ）に示す例では、排気口２８の横方向Ｘの全幅のうち半分以上の幅部分が被巻き付け部４８からずれて配置されており、排気口２８の残りの幅部分は被巻き付け部４８と横方向Ｘにオーバラップして配置されている。ただし、排気口２８は、その少なくとも一部が被巻き付け部４８から横方向Ｘにずれて配置されればよく、排気口２８全体が被巻き付け部４８から横方向Ｘにずれて配置されてもよい。
【００８９】
図１１（ａ）及び図１１（ｂ）に示す組電池１の搭載例によれば、組電池１の外装体１０に対して、その頂面部１６ａの長辺に対して直交するように固定バンド６０が巻き付けられる。また、固定バンド６０は、外装体１０の頂面部１６ａにおける長辺方向（横方向Ｘ）の中央部に巻き付けられる。そのため、仮に頂面部１６ａの短辺に対して直交するように固定バンド６０が巻き付けられる場合、及び、仮に頂面部１６ａにおける長辺方向（横方向Ｘ）の中央部からずれた位置に固定バンド６０が巻き付けられる場合に比べて、ケース５０に対する組電池１の固定を安定化させやすい。
【００９０】
また、組電池１の外装体１０では、排気口２８が被巻き付け部４８から横方向Ｘにオフセットして配置されることにより、排気口２８全体が固定バンド６０によって塞がれることを抑制できる。さらに、外装体１０の排気口２８は、上下方向Ｚにおいて外装体１０の上端側に配置され、ケース５０の支持面部５５よりも上側において露出する。そのため、外装体１０の内部で発生したガスを、排気口２８からスムーズに排出することができる。
【００９１】
図１２（ａ）は、二輪車への組電池１の搭載態様の別の例を示す側面図であり、図１２（ｂ）は、同搭載例が適用された組電池１を示す平面図である。
【００９２】
図１２（ａ）に示す搭載例において、組電池１は、その上下方向Ｚ及び横方向Ｘが水平面に沿って配置され且つ前後方向Ｙが鉛直方向に沿って配置される姿勢で、二輪車の車体に固定されたケース７０に収容される。すなわち、組電池１は、外装体１０の一方の長側面１８ａ及び外部端子２１，２２の側面部２４が鉛直方向（前後方向Ｙ）の上側を指向する姿勢で、ケース７０に収容される。
【００９３】
ケース７０は、鉛直方向Ｙに対する垂直面（ＺＸ平面）に沿って配置された長方形状の底面部７１と、該底面部７１の周縁部から鉛直方向Ｙの上側に延びる周壁部７２とを備えている。
【００９４】
組電池１は、ケース７０の底面部７１上に載置される。すなわち、ケース７０の底面部７１は、組電池１の他方の長側面１８ｂに対向配置される。ケース７０の周壁部７２は、組電池１の頂面部１６ａに対向する第１側面部７３と、組電池１の底面部１２ｃに対向する第２側面部７４とを有する。
【００９５】
ケース７０の第１側面部７３は、鉛直方向Ｙにおいて、搭載姿勢の組電池１の高さよりも長く形成されており、第１側面部７３の上端部は、組電池１の上側の長側面１８ａよりも鉛直方向Ｙの上側に配置されている。ケース７０の第２側面部７４は、鉛直方向Ｙにおいて、搭載姿勢の組電池１の高さよりも短く形成されており、第２側面部７４の上端は、搭載姿勢の組電池１の上端よりも鉛直方向Ｙの下側に配置されている。
【００９６】
ケース７０は、第２側面部７４の上端から第１側面部７３の反対側（組電池１の上下方向Ｙの下側）に延びる支持面部７５と、支持面部７５の上面に突設された留め具７６とを更に備えている。留め具７６は、例えば逆Ｕ字状の金具であり、留め具７６の両端部は支持面部７５に固定されている。留め具７６は、組電池１の横方向Ｘにおけるケース７０の中央部に設けられている。
【００９７】
ケース７０に収容された組電池１は、固定バンド８０を用いてケース７０に固定される。固定バンド８０は、例えば、帯状の金属板からなる。ただし、固定バンド８０の材質は特に限定されるものでない。固定バンド８０の短手方向の幅は、全長に亘って一定となっている。
【００９８】
固定バンド８０の一端部は、ケース７０の第１側面部７３の上端部に固定されており、固定バンド８０の他端は自由端となっている。固定バンド８０の自由端側の端部には、上記の留め具７６に係合可能なフック８２が設けられている。
【００９９】
固定バンド８０は、横方向Ｘにおけるケース７０の中央部において、横方向Ｘに直交する水平方向（組電池１の上下方向Ｚ）に延びるように設けられている。固定バンド８０の自由端側部分は、斜め下側に屈曲されている。固定バンド８０は、ケース７０に収容された組電池１の上側の長側面１８ａと底面部１２ｃとに対向するように組電池１に巻き付けられ、固定バンド８０の先端部に設けられたフック８２が留め具７６に係合される。これにより、組電池１は、横方向Ｘ中央部において、固定バンド８０によって上側の長側面１８ａが鉛直方向Ｙの上側から押さえ付けられることで、ケース７０に固定される。
【０１００】
図１２（ｂ）に示すように、組電池１の上側の長側面１８ａにおいて固定バンド８０が巻き付けられる被巻き付け部４９は、長側面１８ａを横切るように水平方向（組電池１の上下方向Ｚ）に延びる帯状領域（図１２（ｂ）において細点が付された領域）である。被巻き付け部４９は、組電池１の外装体１０の横方向Ｘ中央部に配置されている。すなわち、被巻き付け部４９は、横方向Ｘにおいて単電池２のガス排出弁９と重複する領域に配置されている。
【０１０１】
これに対して、外装体１０の排気口２８は、外装体１０の横方向Ｘ中央部からオフセットして配置されている。これにより、排気口２８の一部は、被巻き付け部４９から横方向Ｘにずれて配置されている。図１２（ｂ）に示す例では、排気口２８の横方向Ｘの全幅のうち半分以上の幅部分が被巻き付け部４９からずれて配置されており、排気口２８の残りの幅部分は被巻き付け部４９と横方向Ｘにオーバラップして配置されている。ただし、排気口２８は、その少なくとも一部が被巻き付け部４９から横方向Ｘにずれて配置されればよく、排気口２８全体が被巻き付け部４９から横方向Ｘにずれて配置されてもよい。
【０１０２】
図１２（ａ）及び図１２（ｂ）に示す組電池１の搭載例によれば、組電池１の外装体１０における上側の長側面１８ａに対して固定バンド８０が巻き付けられる。また、固定バンド８０は、外装体１０の長側面１８ａにおける横方向Ｘの中央部に巻き付けられる。そのため、仮に外装体１０の短側面１７ａ，１７ｂに固定バンド８０が巻き付けられる場合、及び、仮に外装体１０の長側面１８ａにおける横方向Ｘの中央部からずれた位置に固定バンド８０が巻き付けられる場合に比べて、ケース７０に対する組電池１の固定を安定化させやすい。
【０１０３】
また、組電池１の外装体１０では、排気口２８が被巻き付け部４９から横方向Ｘにオフセットして配置されることにより、排気口２８全体が固定バンド８０によって塞がれることを抑制できる。さらに、外装体１０の排気口２８は、鉛直方向Ｙにおいて外装体１０の上端側に配置され、ケース７０の上面側に露出する。そのため、外装体１０の内部で発生したガスを、排気口２８からスムーズに排出することができる。
【０１０４】
さらに、外装体１０に収容された単電池２に対して、外装体１０の長側面１８ａの外側から固定バンド８０が押し当てられることで、単電池２の配列方向Ｙへの膨張によって外装体１０が配列方向Ｙに膨れることを抑制しやすくなる。
【０１０５】
［第２実施形態］
図１３の斜視図は、第２実施形態に係る蓄電装置としての組電池（電池モジュール）１０１を示している。組電池１０１は、エンジンを駆動源とする二輪車に搭載され、主としてエンジンの始動に用いられる比較的低電圧の補機バッテリである。ただし、組電池１０１の用途は限定されるものでなく、例えば自動車など、二輪車以外の移動体に搭載されるものであってもよい。
【０１０６】
図１４の分解斜視図に示すように、組電池１０１は、複数の蓄電素子としての単電池（電池セル）１０２と、複数の単電池１０２を収容する外装体１１０とを備える。
【０１０７】
単電池１０２は、例えば、リチウムイオン二次電池のような非水電解質二次電池である。単電池１０２は、いわゆる角形電池である。第２実施形態に係る組電池１０１においても、第１実施形態と同様、４個の単電池１０２が、相互に積層された状態で外装体１１０に収容されている。
【０１０８】
ただし、組電池１０１を構成する単電池１０２の個数は、２個以上であれば、特に限定されるものでない。なお、隣接する単電池１０２間には、樹脂のような絶縁性材料からなるスペーサ（図示せず）が介在されてもよい。
【０１０９】
第１実施形態の単電池２（図３参照）と同様、各単電池１０２は、ケース本体４及び蓋体５を有するケース３を備え、蓋体５は、ケース３の頂面を構成している。蓋体５の表面には、第１実施形態と同様、正極端子６と負極端子７が固定されている。正極端子６は、蓋体５における横方向Ｘの中央よりも一方側部分に設けられ、負極端子７は、蓋体５における横方向Ｘの中央よりも他方側部分に設けられている。
【０１１０】
複数の単電池１０２は、ケース本体４の長側面４ｂ同士が対向するように前後方向Ｙに配列されている。組電池１０１の横方向Ｘ一方側及び他方側のそれぞれにおいて、正極端子６と負極端子７が前後方向Ｙに交互に並べて配置されている。
【０１１１】
各単電池１０２の端子６，７と、別の単電池１０２の端子６，７との間の電気的接続は、バスバー１２５ｃを介してなされている。第２実施形態では、全ての単電池１０２が直列に接続されている。
【０１１２】
組電池１０１を構成する全ての単電池１０２のうち前後方向Ｙの最も前側（図１４の手前側）に位置する単電池１０２の正極端子６は、組電池１０１の外装体１１０に設けられた正極外部端子１２１に対して、例えばバスバー１２５ａ（図１５参照）を介して電気的に接続されている。
【０１１３】
組電池１０１を構成する全ての単電池１０２のうち前後方向Ｙの最も後側（図１４の奥側）に位置する単電池１０２の負極端子７は、組電池１０１の外装体１１０に設けられた負極外部端子１２２に対して、例えばバスバー１２５ｂ及び制御基板１２０（図１５参照）を介して電気的に接続されている。
【０１１４】
単電池１０２の蓋体５にはガス排出弁９が設けられている。ガス排出弁９は、正極端子６と負極端子７との間に配置されている。ガス排出弁９は、蓋体５の長手方向（横方向Ｘ）中央からオフセットして配置されている。これにより、複数の単電池１０２のガス排出弁９は、前後方向Ｙに沿って千鳥状に配列される。
【０１１５】
外装体１１０は、上面が開口した箱形のケース本体１１２と、該ケース本体１１２の上面開口を塞ぐ蓋体１１４とを備えている。蓋体１１４は、複数の単電池１０２の頂面（蓋体）５に対向する内蓋１１５と、内蓋１１５の外側に重ねられる外蓋１１６とを有する。ケース本体１１２、内蓋１１５、及び外蓋１１６は、樹脂製の部材である。ただし、ケース本体１１２、内蓋１１５、及び外蓋１１６の材料は、樹脂以外の絶縁性材料であってもよい。
【０１１６】
ケース本体１１２は、横方向Ｘに対する垂直面（ＹＺ平面）に沿って配置された一対の短側面部１１２ａ、前後方向Ｙに対する垂直面（ＸＺ平面）に沿って配置された一対の長側面部１１２ｂ、及び、上下方向Ｚに対する垂直面（ＸＹ平面）に沿って配置された底面部１１２ｃを有する。
【０１１７】
ケース本体１１２の各短側面部１１２ａの内側の面には、上下方向Ｚに延びる複数の突条部１１２ｄが、前後方向Ｙに間隔をあけて設けられている。各突条部１１２ｄは、配列方向Ｙに隣接する一対の単電池１０２に係合され、これにより、各単電池１０２が配列方向Ｙに位置決めされる。
【０１１８】
ケース本体１１２の各長側面部１１２ｂの内側の面には、外蓋１１６に係合される複数の係合部１１２ｅが例えば凸状に設けられている。複数の係合部１１２ｅは、各長側面部１１２ｂの上縁部において横方向Ｘに間隔をあけて設けられている。
【０１１９】
内蓋１１５は、ケース本体１１２の上面開口の形状に対応した長方形状の輪郭を有する板状部材である。内蓋１１５は、単電池１０２の頂面５の上側に対向するように、上下方向Ｚに対する垂直面（ＸＹ平面）に沿って配置される。
【０１２０】
内蓋１１５は、その周縁部の一部から立ち上がる周壁部１１５ａを備えている。周壁部１１５ａは、内蓋１１５の横方向Ｘ両縁部における前後方向Ｙ後端側部分と、内蓋１１５の前後方向Ｙ後縁部における横方向Ｘ中央部を除く部分とに設けられている。
【０１２１】
内蓋１１５は、その横方向Ｘ両縁部から上下方向Ｚの下側に延びる複数の突出部１１５ｂを備えている。突出部１１５ｂは、内蓋１１５の横方向Ｘ各縁部に、前後方向Ｙに間隔をあけて例えば３つずつ設けられている。各突出部１１５ｂは、配列方向Ｙに隣接する一対の単電池１０２に係合される。
【０１２２】
内蓋１１５には、単電池１０２の端子６，７の位置に合わせて複数の開口部１１５ｃが設けられている。これにより、内蓋１１５の各開口部１１５ｃに単電池１０２の端子６，７が臨むように配置される（図１８参照）。
【０１２３】
内蓋１１５には、開口部１１５ｃの周縁部から立ち上がる複数の枠状の壁部１１５ｄが一体に設けられている。壁部１１５ｄは、単電池１０２の端子６，７に接続されるバスバー１２５ａ，１２５ｂ，１２５ｃ（図１５参照）の周縁部に沿って配置され、これにより、バスバー１２５ａ，１２５ｂ，１２５ｃと周辺部品との間の電気的絶縁が図られる。バスバー１２５ａ，１２５ｂ，１２５ｃは、例えば、壁部１１５ｄの一部に設けられた爪状の係止片（図示せず）などを用いた固定によって、内蓋１１５に支持される。これにより、内蓋１１５は、バスバー１２５ａ，１２５ｂ，１２５ｃを支持するバスバーフレームとして機能する。
【０１２４】
内蓋１１５は、複数の単電池１０２の頂面５に載置され且つ上記の突出部１１５ｂにおいて複数の単電池１０２に係合されることで、複数の単電池１０２を介してケース本体１１２に取り付けられる。
【０１２５】
外蓋１１６は、内蓋１１５の外側に対向する頂面部１１６ａと、該頂面部１１６ａの周縁部から上下方向Ｚの下側（底面部１１２ｃ側）に延びる周壁部１１６ｂとを有する。外蓋１１６は、周壁部１１６ｂの内側において内蓋１１５の周壁部１１５ａに係合される。
【０１２６】
外蓋１１６の周壁部１１６ｂは、頂面部１１６ａの前後方向Ｙ前側縁部に沿って横方向Ｘに延びる前面部１１６ｃ、頂面部１１６ａの横方向Ｘ両縁部に沿って前後方向Ｙに延びる一対の側面部１１６ｄ，１１６ｅ、及び、頂面部１１６ａの前後方向Ｙ後側縁部に沿って横方向Ｘに延びる後面部１１６ｆを備えている。
【０１２７】
周壁部１１６ｂの前面部１１６ｃ及び後面部１１６ｆには、ケース本体１１２の係合部１１２ｅに係合される複数の係合部１１６ｈが例えば凹状に設けられている。複数の係合部１１６ｈは、前面部１１６ｃ及び後面部１１６ｆのそれぞれにおいて、横方向Ｘに間隔をあけて設けられている。ケース本体１１２の係合部１１２ｅに周壁部１１６ｂの係合部１１６ｈが係合されることで、ケース本体１１２に外蓋１１６が取り付けられている。
【０１２８】
ただし、ケース本体１１２に対して内蓋１１５及び外蓋１１６を取り付けるための構成は特に限定されるものでない。例えば、ケース本体１１２に対して外蓋１１６が内蓋１１５を介して取り付けられてもよい。
【０１２９】
図１３に示す組立完了状態において、内蓋１１５は、外蓋１１６によって完全に覆われており、外装体１１０の表面に露出しない。すなわち、外装体１１０の表面は、ケース本体１１２と外蓋１１６とで構成されている。
【０１３０】
ケース本体１１２の短側面部１１２ａと、外蓋１１６の側面部１１６ｄ，１１６ｅとは、互いに協働して外装体１１０の短側面１１７ａ，１１７ｂを構成している。ケース本体１１２の長側面部１１２ｂと、外蓋１１６の前面部１１６ｃ及び後面部１１６ｆとは、互いに協働して外装体１１０の長側面１１８ａ，１１８ｂを構成している。
【０１３１】
外蓋１１６の頂面部１１６ａは、内蓋１１５を介して複数の単電池１０２に対向配置された基準面を構成している。頂面部１１６ａは、上下方向Ｚにおいて内蓋１１５の外側に間隔をあけて対向配置されている。頂面部１１６ａは、横方向Ｘに延びる一対の長辺と前後方向Ｙに延びる一対の短辺とを有する概ね長方形状とされている。外蓋１１６の周壁部１１６ｂは、頂面部１１６ａの輪郭形状に合わせた概ね長方形の枠状部である。ただし、頂面部１１６ａ及び周壁部１１６ｂにおける一方の長辺の両端に位置する各コーナー部には切欠１１６ｇが設けられている。
【０１３２】
外蓋１１６の一方の切欠１１６ｇには、組電池１０１の正極の外部端子１２１が配置され、他方の切欠１１６ｇには、組電池１０１の負極の外部端子１２２が配置されている。各外部端子１２１，１２２は、外装体１１０の外側に露出するように蓋体１１４に取り付けられている。このように、外部端子１２１，１２２は、外装体１１０の頂面部１１６ａと一方（前後方向Ｙの前側）の長側面１１８ａとの間のコーナー部に設けられている。
【０１３３】
各外部端子１２１，１２２は、例えば、屈曲部を有する帯状の金属板で構成されている。外部端子１２１，１２２は、外蓋１１６を貫通して設けられている。外部端子１２１，１２２は、その一端側が外蓋１１６の外側に露出し、他端側が外蓋１１６の内側に配置されている。外部端子１２１，１２２は、例えばインサート成形によって外蓋１１６と一体に設けられてもよい。
【０１３４】
外装体１１０の外側に配置された外部端子１２１，１２２の露出部は、外装体１１０の頂面部１１６ａに沿うように配置された頂面部１２１ａ，１２２ａ、屈曲部を介して頂面部１２１ａ，１２２ａに連なり外装体１１０の長側面１１８ａに沿うように配置された側面部１２１ｂ，１２２ｂとを有する。外部端子１２１，１２２は、頂面部１２１ａ，１２２ａ又は側面部１２１ｂ，１２２ｂに取り付けられる接続部材（図示せず）を介して、車体側の電気系統に接続される。
【０１３５】
図１５に示すように、正極外部端子１２１の一端部は、外蓋１１６の内側において、単電池１０２の正極端子６に接続されたバスバー１２５ａに電気的に接続されている。負極外部端子１２２の一端部は、外蓋１１６の内側において、バスバー１２５ｂを介して単電池１０２の負極端子７に接続された制御基板１２０に電気的に接続されている。
【０１３６】
制御基板１２０は、内蓋１１５と外蓋１１６との間に収容されている。制御基板１２０は、例えばねじを用いて内蓋１１５の外側の面に固定される。なお、内蓋１１５には、制御基板１２０を固定するためのねじがねじ込まれる複数の被固定部１１５ｅが設けられている。
【０１３７】
図１６及び図１７に示すように、外蓋１１６の頂面部１１６ａには、カバー１２６によって開閉可能に覆われる凹部１１６ｉが設けられている。凹部１１６ｉは、頂面部１１６ａにおける前後方向Ｙ前側縁部に設けられている。凹部１１６ｉは、横方向Ｘにおける頂面部１１６ａの中央と正極外部端子１２１との間に配置されている。
【０１３８】
頂面部１１６ａの凹部１１６ｉには、作業用の開口部１１６ｊ及び空間形成用凹部１１６ｋが、互いに横方向Ｘに隣接して設けられている。
【０１３９】
作業用の開口部１１６ｊには、正極外部端子１２１の一端部１２１ｃを、上記のバスバー１２５ａ（図１５参照）を介して内蓋１１５に固定するためのナット１２３が臨むように配置される。これにより、作業用の開口部１１６ｊを通して、ナット１２３の着脱作業を行うことができる。
【０１４０】
空間形成用凹部１１６ｋは、横方向Ｘにおいて、作業用の開口部１１６ｊと正極外部端子１２１との間に配置されている。空間形成用凹部１１６ｋの底部には貫通穴１１６ｍ（図２２参照）が設けられている。貫通穴１１６ｍは、空間形成用凹部１１６ｋの底部上面に取り付けられた通気防水膜１１９によって上側から覆われている。通気防水膜１１９は、気体の透過性に優れ且つ外蓋１１６の内側への水等の液体の浸入を抑制し得る素材からなる。
【０１４１】
図１３〜図１７に示すように、組電池１０１の外装体１１０は、単電池１０２のガス排出弁９から排出されたガスを外装体１１０の外側へ排出するための排気口１２８を備えている。排気口１２８は、外蓋１１６の周壁部１１６ｂの前面部１１６ｃに設けられている。排気口１２８は、上記の空間形成用凹部１１６ｋと横方向Ｘにオーバラップする領域において、前面部１１６ｃを前後方向Ｙに貫通して設けられている。すなわち、排気口１２８は、横方向Ｘにおいて外蓋１１６の中央からオフセットして配置されている。
【０１４２】
これにより、外蓋１１６の空間形成用凹部１１６ｋとカバー１２６の下面との間の空間１６０（図２２参照）が、排気口１２８を介して外装体１１０の外側空間に連通している。すなわち、外蓋１１６の空間形成用凹部１１６ｋとカバー１２６の下面との間に、外装体１１０の外側空間に連通した外気連通空間１６０が形成されている。
【０１４３】
排気口１２８は、上下方向Ｚにおいて外部端子１２１，１２２の側面部１２１ｂ，１２２ｂとオーバラップして配置されている。すなわち、排気口１２８は、外装体１１０の長側面１１８ａにおいて、一対の外部端子１２１，１２２間に配置されている。排気口１２８は、例えば円形に形成されている。ただし、排気口１２８の形状は特に限定されるものでない。
【０１４４】
図１８及び図１９に示すように、外装体１１０の内蓋１１５は、外装体１１０の内側においてガス排出弁９から排気口１２８へガスを導くためのダクト部１３０を備えている。
【０１４５】
ダクト部１３０は、内蓋１１５において、外装体１１０の内側（単電池１０２側）に開放した溝状に形成されている。これにより、複数の単電池１０２の頂面５とダクト部１３０との間に、単電池１０２のガス排出弁９から外装体１１０の排気口１２８へのガスの排気通路１４０（図２０及び図２１参照）が形成されている。すなわち、内蓋１１５は、ガスの排気通路１４０を形成する通路形成部材として機能している。
【０１４６】
ダクト部１３０は、複数の単電池１０２のガス排出弁９の上方を通るように蛇行しながら前後方向Ｙに延びている。図１８に示すように、上下方向Ｚから見て、ダクト部１３０は、全ての単電池１０２のガス排出弁９とオーバラップして配置されている。具体的には、上下方向Ｚから見て、ダクト部１３０における両端部および２つの屈曲部が、それぞれガス排出弁９とオーバラップして配置されている。上下方向Ｚから見て、各ガス排出弁９は、その全体がダクト部１３０とオーバラップしている。このように、ダクト部１３０は、全ての単電池１０２のガス排出弁９に対向するように配置されている。
【０１４７】
これにより、単電池１０２のガス排出弁９から排気通路１４０に排出されたガスは、排気通路１４０に沿って前後方向Ｙの排気口１２８側へ流れやすくなっている。
【０１４８】
図１９に示すように、ダクト部１３０は、その両端部および２つの屈曲部において、それぞれ連通溝部１３１，１３２，１３３，１３４を介して、開口部１１５ｃに連通している。これにより、排気通路１４０を流れるガスは、いずれかの連通溝部１３１，１３２，１３３，１３４及びこれに対応する開口部１１５ｃを経由して、内蓋１１５の外側へ導かれる。
【０１４９】
このように、単電池１０２のガス排出弁９から排出されたガスは、単電池１０２と内蓋１１５との間の排気通路１４０を経由して、内蓋１１５と外蓋１１６との間の蓋内空間１５０（図２０及び図２１参照）に導かれる。さらに、図２２に示すように、蓋内空間１５０に充満したガスは、上述の通気防水膜１１９を通って外気連通空間１６０に導入される。外気連通空間１６０に導入されたガスは、排気口１２８を通って外装体１１０の外部空間に排出される。
【０１５０】
以上のように、第２実施形態によれば、内蓋１１５を利用した第１通路部としての排気通路１４０と、内蓋１１５と外蓋１１６を利用した第２通路部としての蓋内空間１５０とを経由させることで、単電池１０２のガス排出弁９から外蓋１１６の排気口１２８へのスムーズなガスの流れを実現できる。
【０１５１】
第２実施形態の組電池１０１は、第１実施形態と同様、例えば、図１１（ａ）又は図１２（ａ）に示すような態様で、二輪車に搭載されてもよい。
【０１５２】
図１１（ａ）に示す搭載例が採用される場合、図１３に示すように、組電池１０１の頂面部１１６ａに、固定バンド６０が巻き付けられる被巻き付け部１４８が形成される。被巻き付け部１４８は、組電池１０１の外装体１１０の横方向Ｘ中央部に配置されている。したがって、固定バンド６０による組電池１０１の固定の安定化を図ることができる。
【０１５３】
この場合、外装体１１０の横方向Ｘ中央部からオフセットして配置された外装体１１０の排気口１２８は、被巻き付け部１４８から横方向Ｘにずれて配置されている。そのため、排気口１２８が固定バンド６０によって塞がれることを抑制でき、排気口１２８からの良好な排気が可能になっている。
【０１５４】
一方、図１２（ａ）に示す搭載例が採用される場合、図１３に示すように、組電池１０１の一方の長側面１１８ａに、固定バンド８０が巻き付けられる被巻き付け部１４９が形成される。被巻き付け部１４９は、組電池１０１の外装体１１０の横方向Ｘ中央部に配置されている。したがって、固定バンド８０による組電池１０１の固定の安定化を図ることができる。
【０１５５】
この場合も、外装体１１０の排気口１２８は、被巻き付け部１４９から横方向Ｘにずれて配置されている。そのため、排気口１２８が固定バンド８０によって塞がれることを抑制でき、排気口１２８からの良好な排気が可能になっている。
【０１５６】
また、この場合、外装体１１０に収容された単電池１０２に対して、外装体１１０の長側面１１８ａの外側から固定バンド８０が押し当てられることで、単電池１０２の配列方向Ｙへの膨張によって外装体１１０が配列方向Ｙに膨れることを抑制しやすくなる。
【０１５７】
さらに、図１１（ａ）及び図１２（ａ）のいずれの搭載例が採用される場合も、外装体１１０の排気口１２８は、鉛直方向の上端側に配置されるため、外装体１１０の内部で発生したガスを、排気口１２８からスムーズに排出することができる。
【０１５８】
以上、上述の実施形態を挙げて本発明を説明したが、本発明は上述の実施形態に限定されるものではない。
【０１５９】
例えば、上述の実施形態では、組電池の外装体において、被巻き付け部が一面のみに設けられる例を説明したが、被巻き付け部は複数の面に亘って設けられてもよい。
【０１６０】
また、本発明に係る蓄電装置を構成する蓄電素子は、上述の実施形態のような角形の電池に限定されるものでなく、例えば、円筒形電池又はラミネート形（パウチ形）の電池であってもよい。
【０１６１】
さらに、上述の実施形態では、蓄電素子としてリチウムイオン二次電池のような非水電解質二次電池を有する蓄電装置を例に本発明に係る蓄電装置を説明したが、本発明に係る蓄電装置を構成する蓄電素子は、非水電解質二次電池以外の二次電池、一次電池、キャパシタを含む種々の蓄電素子であってもよい。
【符号の説明】
【０１６２】
１                      組電池（蓄電装置）
２                      単電池（蓄電素子）
５                      蓋体（頂面）
９                      ガス排出弁
１０                    外装体
１２                    ケース本体
１５                    内蓋（通路形成部材）
１６                    外蓋
１６ａ                  頂面部（基準面）
１８ａ                  長側面
２１，２２              外部端子
２８                    排気口
４０                    排気通路
４１                    第１通路部
４２                    第２通路部
４４                    屈曲部
４８，４９              被巻き付け部
６０，８０              固定バンド
１０１                  組電池（蓄電装置）
１０２                  単電池（蓄電素子）
１１０                  外装体
１１２                  ケース本体
１１５                  内蓋（通路形成部材）
１１６                  外蓋（通路形成部材）
１１６ａ                頂面部（基準面）
１１８ａ                長側面
１２１，１２２          外部端子
１２８                  排気口
１４０                  排気通路（第１通路部）
１４８，１４９          被巻き付け部
１５０                  蓋内空間（第２通路部）
１６０                  外気連通空間
【図１】
2019197662.tif 000003
【図２】
2019197662.tif 000004
【図３】
2019197662.tif 000005
【図４】
2019197662.tif 000006
【図５】
2019197662.tif 000007
【図６】
2019197662.tif 000008
【図７】
2019197662.tif 000009
【図８】
2019197662.tif 000010
【図９】
2019197662.tif 000011
【図１０】
2019197662.tif 000012
【図１１】
2019197662.tif 000013
【図１２】
2019197662.tif 000014
【図１３】
2019197662.tif 000015
【図１４】
2019197662.tif 000016
【図１５】
2019197662.tif 000017
【図１６】
2019197662.tif 000018
【図１７】
2019197662.tif 000019
【図１８】
2019197662.tif 000020
【図１９】
2019197662.tif 000021
【図２０】
2019197662.tif 000022
【図２１】
2019197662.tif 000023
【図２２】
2019197662.tif 000024